(57)【要約】  ラップディスプレイシステムは、スティック（４０，５０）と、スティック（４０，５０）に巻き付けられるように構造的に構成されているフレキシブルディスプレイ（２０）およびディスプレイカバー（２２，１２２）の一体物を有するフレキシブルユニットディスプレイ（２０，１２０）とを用いる。ホールドアウト機構体（３０）は、フレキシブルディスプレイ（２１）がスティック（４０，５０）から解かれているのに応じて、フレキシブルディスプレイ（２１）をスティック（４０，５０）に対して読み取り易い位置に固定するためにフレキシブルディスプレイ（２１）およびディスプレイカバー（２２，１２２）と一体化され得る。
2008530611.tif 000002
【特許請求の範囲】
【請求項１】
スティック（４０，５０）と、
前記スティック（４０，５０）に巻き付けられるように構造的に構成されているフレキシブルディスプレイ（２１）およびディスプレイカバー（２２，１２２）の一体物を含むフレキシブルディスプレイユニット（２０，１２０）と、
を備え、
前記ディスプレイカバー（２２，１２２）の少なくとも一部が前記フレキシブルディスプレイ（２１）の前記スティックへの巻き付けを容易化するため前記スティック（４０，５０）の外面に連結されている、
ラップディスプレイシステム。
【請求項２】
前記フレキシブルディスプレイ（２１）が、
ベースとしての機能を果たす有機膜を含む底層と、
前記フレキシブルディスプレイ（２１）の像を駆動するアクティブマトリクスとしての機能を果たす有機エレクトロニクスを含む中間層と、
プラスチックシートに配置された電子インクを含む表層と、
を含む、
請求項１に記載のラップディスプレイシステム。
【請求項３】
前記フレキシブルディスプレイ（２１）および前記ディスプレイカバー（２２，１２２）の前記一体物は、前記フレキシブルディスプレイ（２１）が前記ディスプレイカバー（２２，１２２）に取り付けられている、請求項１に記載のラップディスプレイシステム。
【請求項４】
前記フレキシブルディスプレイ（２１）および前記ディスプレイカバー（２２，１２２）の前記一体物は、前記フレキシブルディスプレイ（２１）が前記ディスプレイカバー（２２，１２２）のウィンドウを通して見える状態で、前記フレキシブルディスプレイ（２１）が前記ディスプレイカバー（２２，１２２）の内部に位置決めされている、請求項１に記載のラップディスプレイシステム。
【請求項５】
前記フレキシブルディスプレイユニット（２０，１２０）が前記フレキシブルディスプレイ（２１）および前記ディスプレイカバー（２２，１２２）と一体化されたホールドアウト機構体をさらに含み、
前記ホールドアウト機構体は、前記フレキシブルディスプレイ（２１）が前記スティック（４０，５０）の周りから解かれるのに応じて前記フレキシブルディスプレイ（２１）を前記スティック（４０，５０）に対して読み取り易い位置に固定するエネルギー安定位置を有する、
請求項１に記載のラップディスプレイシステム。
【請求項６】
前記ホールドアウト機構体が少なくとも１個の金属板ばね（３０）を含む、請求項５に記載のラップディスプレイ。
【請求項７】
前記フレキシブルディスプレイ（２１）が前記スティック（４０）に巻き付けられているのに応じて、各金属板ばね（３０）が前記スティック（４０）の溝に着座している、請求項６に記載のラップディスプレイ。
【請求項８】
前記ホールドアウト機構体が少なくとも１個の棒ばね（３１）を含む、請求項５に記載のラップディスプレイ。
【請求項９】
スティック（４０，５０）と、
前記スティック（４０，５０）に巻き付けられるように構造的に構成されているフレキシブルディスプレイ（２１）およびディスプレイカバー（２２，１２２）の一体物を含むフレキシブルディスプレイユニット（２０，１２０）と、
を備え、
前記ディスプレイカバー（２２，１２２）の少なくとも一部が前記フレキシブルディスプレイ（２１）の前記スティック（４０，５０）への巻き付けを容易化するため前記スティック（４０，５０）に永続的に巻き付けられている、
ラップディスプレイシステム。
【請求項１０】
前記フレキシブルディスプレイ（２１）が、
ベースとしての機能を果たす有機膜を含む底層と、
前記フレキシブルディスプレイ（２１）の像を駆動するアクティブマトリクスとしての機能を果たす有機エレクトロニクスを含む中間層と、
プラスチックシートに配置された電子インクを含む表層と、
を含む、
請求項９に記載のラップディスプレイシステム。
【請求項１１】
前記フレキシブルディスプレイ（２１）および前記ディスプレイカバー（２２，１２２）の前記一体物は、前記フレキシブルディスプレイ（２１）が前記ディスプレイカバー（２２，１２２）に取り付けられている、請求項９に記載のラップディスプレイシステム。
【請求項１２】
前記フレキシブルディスプレイ（２１）および前記ディスプレイカバー（２２，１２２）の前記一体物は、前記フレキシブルディスプレイ（２１）が前記ディスプレイカバー（２２，１２２）のウィンドウを通して見える状態で、前記フレキシブルディスプレイ（２１）が前記ディスプレイカバー（２２，１２２）の内部に位置決めされている、請求項９に記載のラップディスプレイシステム。
【請求項１３】
前記フレキシブルディスプレイユニット（２０，１２０）が前記フレキシブルディスプレイ（２１）および前記ディスプレイカバー（２２，１２２）と一体化されたホールドアウト機構体をさらに含み、
前記ホールドアウト機構体は、前記フレキシブルディスプレイ（２１）が前記スティック（４０，５０）の周りから解かれるのに応じて前記フレキシブルディスプレイ（２１）を前記スティック（４０，５０）に対して読み取り易い位置に固定するエネルギー安定位置を有する、
請求項９に記載のラップディスプレイシステム。
【請求項１４】
前記ホールドアウト機構体が少なくとも１個の金属板ばね（３０）を含む、請求項１３に記載のラップディスプレイ。
【請求項１５】
前記フレキシブルディスプレイ（２１）が前記スティック（４０）に巻き付けられているのに応じて、各金属板ばね（３０）が前記スティック（４０）の溝に着座している、請求項１４に記載のラップディスプレイ。
【請求項１６】
前記ホールドアウト機構体が少なくとも１個の棒ばね（３１）を含む、請求項１３に記載のラップディスプレイ。
【請求項１７】
スティック（４０，５０）と、
前記スティック（４０，５０）に巻き付けられるように構造的に構成されているフレキシブルディスプレイ（２１）、ディスプレイカバー（２２，１２２）、および、ホールドアウト機構体の一体物を含むフレキシブルディスプレイユニット（２０，１２０）と、
を備え、
前記ディスプレイカバー（２２，１２２）の少なくとも一部が前記フレキシブルディスプレイ（２１）の前記スティック（４０，５０）への巻き付けを容易化するため前記スティック（４０，５０）に連結され、
前記ホールドアウト機構体は、前記フレキシブルディスプレイ（２１）が前記スティック（４０，５０）から解かれるのに応じて前記フレキシブルディスプレイ（２１）を前記スティック（４０，５０）に対して読み取り易い位置に固定するエネルギー安定位置を有する、
ラップディスプレイシステム。
【請求項１８】
前記ホールドアウト機構体が少なくとも１個の金属板ばね（３０）を含む、請求項１７に記載のラップディスプレイ。
【請求項１９】
前記フレキシブルディスプレイ（２１）が前記スティック（４０）に巻き付けられているのに応じて、各金属板ばね（３０）が前記スティック（４０）の溝に着座している、請求項１８に記載のラップディスプレイ。
【請求項２０】
前記ホールドアウト機構体が少なくとも１個の棒ばね（３１）を含む、請求項１７に記載のラップディスプレイ。
【発明の詳細な説明】
【開示の内容】
【０００１】
本発明は一般的にフレキシブルディスプレイに関する。本発明は特にフレキシブルディスプレイのディスプレイシステムへの効率的な組み込みに関する。
【０００２】
ローリングディスプレイシステムは、現在のところ、フレキシブルディスプレイを採用し、フレキシブルディスプレイは、フレキシブルディスプレイの内部への格納を容易化するためケースの中へ巻き込まれ、フレキシブルディスプレイの動作を容易化するためケースの外へ広げられる。このようなディスプレイシステムの例は、米国特許出願公開第２００２／０１９６２０５Ａ１号に開示されている。ケース内部で、フレキシブルディスプレイは、ケース内部の様々なディスプレイ駆動コンポーネントを包み込み、そのために、フレキシブルディスプレイの転がり半径は、ケース内部で固定したディスプレイ駆動コンポーネントを支持するため十分に大きくされるべきであるか、および／または、ケース内部でのディスプレイ駆動コンポーネント間の運動がフレキシブルディスプレイのローリング／アンローリングを容易化するために必要である。このフレキシブルディスプレイのローリング／アンローリング方式の１つの欠点は、最小限のコストでケースの最高度のポータビリティを達成する目的のため、最小限の寸法をもつケースの最適形状の構造に制限が加えられることである。ディスプレイ業界は、従って、フレキシブルディスプレイのディスプレイシステムへの組み込みに改良を加える努力を続けている。
【０００３】
このため、本発明は、フレキシブルディスプレイの格納を容易化するためスティックに巻き付けられ、フレキシブルディスプレイの動作を容易化するためスティックの周りから解かれるフレキシブルディスプレイを有するラップディスプレイシステムという新しい独特の構造的な形態を提供する。本発明の一形態では、フレキシブルディスプレイユニットは、フレキシブルディスプレイと一体化されているディスプレイカバーを含み、ディスプレイカバーの一部分がスティックの外面に連結されている。本発明の第２の形態によれば、フレキシブルディスプレイユニットは、フレキシブルディスプレイと一体化されているディスプレイカバーを含み、ディスプレイカバーの一部分がスティックに永続的に巻き付けられている。本発明の第３の形態によれば、フレキシブルディスプレイユニットは、フレキシブルディスプレイと一体化されているディスプレイカバーと、フレキシブルディスプレイがスティックから解かれているときにフレキシブルディスプレイをスティックに対して読み取り易い位置に固定するためエネルギー安定位置を有するホールドアウト機構体とを含む。
【０００４】
本発明の上記の形態、並びに、その他の特色および利点は、添付図面と共に読まれる、本発明の種々の実施形態の以下の詳細な説明からさらに明らかになるであろう。詳細な説明および図面は、特許請求の範囲に記載された事項およびそれらの均等物によって定義される本発明の範囲を限定するのではなく、本発明の例示に過ぎない。
【０００５】
本発明の１つの新しい原理は、スティックに巻き付けられ、スティックから解かれ得るフレキシブルディスプレイおよびディスプレイカバーの一体物を含むフレキシブルディスプレイユニットを構造的に構成することである。本発明は、フレキシブルディスプレイとディスプレイカバーの一体物に関して如何なる制限または制約を課すことがない。よって、「一体物」という用語は、本明細書では、フレキシブルディスプレイとディスプレイカバーの単一ユニットとしての組立体として広義に定義され、たとえば、フレキシブルディスプレイがディスプレイカバーの外面に取り付けられ、または、フレキシブルディスプレイがディスプレイカバーの開口ウィンドウまたは透明ウィンドウを通して見えるように、フレキシブルディスプレイが多層ディスプレイカバー内部に位置決めされている。
【０００６】
本発明は、さらに、本発明のフレキシブルディスプレイおよびフレキシブルカバーの構造的な構成および材料組成に如何なる制限または制約も課さない。一つの実施形態において、本発明のフレキシブルディスプレイは、Ｐｏｌｙｍｅｒ  Ｖｉｓｉｏｎ社によって提供され、ベースとしての機能を果たす薄い／有機膜の裏層と、フレキシブルディスプレイの像を駆動するアクティブマトリクスとしての機能を果たす有機エレクトロニクスの中間層と、プラスチックシートに印刷されるか、または、そうでなければ配置された電子インクの表層とからなる。
【０００７】
実際上、本発明のフレキシブルディスプレイユニットの特定の実施は、本発明の商業的な実施に依存するので、無制限である。図１および２についての以下の説明は、上記の本発明の第１の新しい原理を組み込む本発明のフレキシブルディスプレイユニットの典型的な実施形態を提供する。
【０００８】
一つの実施形態において、図１に示されているように、本発明のフレキシブルディスプレイユニット２０は、ディスプレイカバー２２のディスプレイセクション２３と相対的に一体化されたフレキシブルディスプレイ２１およびディスプレイカバー２２を用いる。ディスプレイカバー２２のアタッチメントセクション２４は、従来的な手法によるフレキシブルディスプレイユニット２０のスティックへの連結を容易化する。アッタチメントセクション２４の寸法は、スティックの周囲より小さくても、周囲と等しくても、周囲より大きくてもよい。さらに、アタッチメントセクション２４の一部は、スティックの外面および／または内面に連結されるか、または、アッタチメントセクション２４の一部または全体が永続的にスティックに巻き付けられてもよい。ディスプレイカバー２２の任意の制御セクション２５は、キーボード、または、必要に応じてフレキシブルディスプレイ２１を制御するその他のタイプの機構体の構成を容易化する。
【０００９】
第２の実施形態では、図２に示されているように、フレキシブルディスプレイユニット１２０は、フレキシブルディスプレイ２１と、フレキシブルディスプレイユニット１２０が図１０および１１に関連して後述されるようにリッドを有する本発明のスティックの特定の実施形態に巻き付けられたときに、スティックのリッドとの接合点を提供するノッチ２６〜２９を有するディスプレイカバー２２（図１）の変形例１２０とを含む。
【００１０】
本発明の第２の新しい原理は、フレキシブルディスプレイがスティックから解かれるときに、フレキシブルディスプレイをスティックに対して読み取り易い位置に固定するエネルギー安定位置を有するホールドアウト機構体を構造的に構成することである。このようなホールドアウト機構体は、フレキシブルディスプレイがスティックの周りから解かれるときに丸くなり易いフレキシブルディスプレイのため必要とされる。本発明は、本発明のホールドアウト機構体の構造的な構成および材料組成に如何なる制限または制約も課さない。よって、実際上、本発明のホールドアウト機構体の具体的な実施は、本発明の商業的な実施に依存するので、無制限である。図３についての以下の説明は、上記の本発明の第２の新しい原理を組み込むホールドアウト機構体の典型的な実施形態を提供する。
【００１１】
図３を参照すると、ホールドアウト機構体は、フレキシブルディスプレイがスティックから解かれるときに、フレキシブルディスプレイをスティックに対して読み取り易い位置に固定する金属板ばね３０を用いる。板ばね３０は、２つのエネルギー的に安定した位置、すなわち、一直線の位置（図示せず）と、図３に示されているように、板ばねが半径のところで丸められている丸くなった位置とを有する。特に、一直線の位置では、板ばね３０は、フレキシブルディスプレイをスティックに対して読み取り易い位置に固定するためにある種のホールド力に耐えることが可能である。板ばね３０上の力がこのホールド力を超えるとき、板ばね３０は曲がり、図３に示されているように丸くなった位置へ切り替わる。丸くなった位置において板ばね３０に２つの変形を作るため、板ばね３０は、スプリングロールまたはガターの断面のような板ばねの断面の全体に亘る半径が変形させられ、かつ、板ばね３０をねじりばねのように巻き取ることにより板ばねの全長に亘って半径が変形させられる。
【００１２】
図４は、フレキシブルディスプレイユニット２０（図１）内部のホールドアウト機構体の典型的な組み込みを示し、ここでは、ホールドアウト機構体がディスプレイカバー２０の縦エッジに沿ってディスプレイカバー２０に取り付けられた１対の金属板ばね３０を用いる。板ばね３０は、フレキシブルディスプレイがスティックから解かれているときに、フレキシブルディスプレイ２１をスティック（図示せず）に対して読み取り易い位置に固定する一直線の位置で表されている。
【００１３】
第２の実施形態では、ホールドアウト機構体は、エネルギー的に安定した一直線の位置だけを伴う金属板ばねを用いる。よって、一直線の位置では、板ばねは、フレキシブルディスプレイをスティックに対して読み取り易い位置に固定するためにある種のホールド力に耐えることが可能であり、そのために、板ばね上の力がこのホールド力を超えるとき、板ばねは曲がるが、丸くなった位置へ切り替わることがない。このタイプの金属板ばねは、スプリングロールまたはガターの断面のような板ばねの断面の全体に亘る半径だけに関して金属板ばねを変形することによって作られる。
【００１４】
第３の実施形態では、ホールドアウト機構体は、フレキシブルディスプレイが１個以上の板ばねによってスティックに対して読み取り易い位置に固定されているとき、フレキシブルディスプレイを平坦な姿勢に保つ力をフレキシブルディスプレイに同時にまたは代替的に印加するため棒ばねを用いる。図５は、ホールドアウト機構体のフレキシブルディスプレイユニット１２０（図２）への典型的な組み込みを示し、ここでは、広げられたホールドアウト機構体は、ディスプレイカバー１２２の縦中央に沿ってディスプレイカバー１２２内に配置された板ばね３０と、板ばね３０に接続され、ディスプレイカバー１２２の横エッジに沿ってディスプレイカバー１２２内に配置された棒ばね３１とを用いる。板ばね３０は、一直線の位置に示され、そのために、フレキシブルディスプレイ２１は、棒ばね３１によって支持されている平坦な姿勢で、スティックに対して読み取り易い位置に固定されている。
【００１５】
本発明の第３の新しい原理は、スティックの内部コンポーネント（たとえば、駆動用エレクトロニクス、コネクタなど）およびスティックの外部コンポーネント（たとえば、ボタンおよびインターフェイススロット）の選択可能な構造的な構成を、フレキシブルディスプレイユニット（たとえば、図１および図２）をスティックに巻き付けているとき、または、フレキシブルディスプレイユニットをスティックの周りから解いているときに、これらのコンポーネントの運動を全く必要とすることなく支持するために、スティックを構造的に構成することである。本発明は、本発明のスティックの構造的な構成および材料組成に如何なる制限または制約も課さない。よって、実際上、本発明のスティックの具体的な実施は本発明の商業的な実施に依存するので、無制限である。図６、７、１０および１１についての以下の説明は、上記の本発明の第３の新しい原理を組み込むスティックの典型的な実施形態を提供する。
【００１６】
一つの実施形態において、図６および７に示されているように、スティック４０は、標準的な構造（たとえば、プリント基板）への内部コンポーネントの固定した組み込みを容易化する空洞４２を内部に画定する円筒状ハウジング４１を用いる。円筒状ハウジング４１の断面は、円形、楕円形、丸みを帯びたコーナーをもつ長方形、丸みを帯びたコーナーをもつ正方形、または、その他の曲線のある断面であり、あらゆる点における円筒状ハウジング４１の外側半径は本発明のフレキシブルディスプレイの最小巻き取り半径未満でなければならない。さらに、ハウジング４１は、このハウジングの内部コンポーネントの何れかの修理または交換を容易化するために分離可能である２個以上のセグメントを含むことがある。任意の溝４３〜４６がハウジング４１の外面に設けられ、フレキシブルユニットディスプレイ２０などが、図９に示されているように、フレキシブルユニットディスプレイ２０がハウジング４０から解かれた状態でハウジング４０に連結されているときはいつでも、図８に示されているように金属板ばね（図４）を着座させる。
【００１７】
第２の実施形態では、図１０および１１に示されているように、スティック５０は、標準的な構造（たとえば、プリント基板）への内部コンポーネントの固定した組み込みを容易化する空洞５２を内部に画定する管状ハウジング５１を用いる。管状ハウジング５１の断面は、円形、楕円形、丸みを帯びたコーナーをもつ長方形、丸みを帯びたコーナーをもつ正方形、または、その他の曲線のある断面である。その上、管状ハウジング５１は、この管状ハウジングの内部コンポーネントを修理または交換するため空洞５２へアクセスできるように上部リッド５３および下部リッド５４を用いる。リッド５３および５４は、さらに、フレキシブルユニットディスプレイ１２０がスティック５０に巻き付けられているときに、たとえば、図１２に示されているディスプレイカバー１２２のような本発明のディスプレイカバーのノッチと接する。さらに、ハウジング５１、リッド５３および５４は、特に、本発明のフレキシブルディスプレイユニットがスティック５０の周りから解かれているときに、たとえば、図１３に示されているように、フレキシブルディスプレイユニット１２０がスティック５０の周りから解かれているときに、ハウジング５１の内部コンポーネントとインターフェイスを取るため必要なボタンおよびインターフェイススロットを支持するために安定したプラットフォームを提供する。
【００１８】
本発明のフレキシブルディスプレイユニットは、たとえば、本発明のディスプレイカバー上に一体化されたスナップ組立体、または、Ｖｅｌｃｒｏ（登録商標）組立体などによる従来的な方式で本発明のスティックに巻き付けられているときにロックさせることが可能である。
【００１９】
上記の本発明の説明から、当業者は本発明の種々の利点を認めるであろう。特に、スティックの最適な形状の構造は、最小限のコストで最高度のポータビリティを達成する目的のための最小限の寸法をもち、かつ、フレキシブルディスプレイユニットがスティックに巻き付けられているとき、または、スティックの周りから解かれているときに、内部および外部のスティックコンポーネント間での相対運動がない。
【００２０】
本明細書に開示されている本発明の実施形態は現在のところ好ましいと考えられているが、種々の変形および変更が発明の精神および範囲を逸脱することなくなされ得る。本発明の範囲は特許請求の範囲において示され、等価物の意味と範囲に含まれる全ての変形が本発明の範囲に包含されることが意図されている。
【図面の簡単な説明】
【００２１】
【図１】ホールドアウト機構体無しの本発明によるフレキシブルディスプレイユニットの第１の実施形態の正面図である。
【図２】ホールドアウト機構体無しの本発明によるフレキシブルディスプレイユニットの第２の実施形態の正面図である。
【図３】本発明による丸められた位置にあるホールドアウト機構体の一つの実施形態の斜視図である。
【図４】図３に示されているホールドアウト機構体付きの本発明によるフレキシブルディスプレイユニットの第３の実施形態の正面図である。
【図５】図３に示されているホールドアウト機構体付きの本発明によるフレキシブルディスプレイユニットの第４の実施形態の正面図である。
【図６】本発明によるスティックの第１の実施形態の正面図である。
【図７】本発明によるスティックの第１の実施形態の側面図である。
【図８】図６および７に示されたスティックに巻き付けられた図３に示されたホールドアウト機構体の斜視図である。
【図９】本発明による解かれた状態にあるラップディスプレイシステムの実施形態の斜視図である。
【図１０】本発明によるスティックの第２の実施形態の正面図である。
【図１１】本発明によるスティックの第２の実施形態の側面図である。
【図１２】本発明による巻き付けられた状態にあるラップディスプレイシステムの第２の実施形態の斜視図である。
【図１３】本発明による解かれた状態にあるラップディスプレイシステムの第２の実施形態の斜視図である。
【図１】
2008530611.tif 000003
【図２】
2008530611.tif 000004
【図３】
2008530611.tif 000005
【図４】
2008530611.tif 000006
【図５】
2008530611.tif 000007
【図６】
2008530611.tif 000008
【図７】
2008530611.tif 000009
【図８】
2008530611.tif 000010
【図９】
2008530611.tif 000011
【図１０】
2008530611.tif 000012
【図１１】
2008530611.tif 000013
【図１２】
2008530611.tif 000014
【図１３】
2008530611.tif 000015
【国際調査報告】
2008530611.tif 000016
2008530611.tif 000017